(57)【特許請求の範囲】
【請求項１】
背もたれ面と底部面を含むシート組立体と、
該シート組立体に連結されたトレイと、
前記シート組立体に連結された脚組立体とを具え、該脚組立体が、床面上で前記シート組立体を支持するように構成されており、
前記トレイ又はシート組立体に枢動可能に連結されたボタンと、
第一端と第二端を有するリンク機構を具え、該リンク機構の第一端が前記ボタンと枢動可能に連結されており、ボタンピボット軸の周りを前記ボタンが枢動することにより、前記ボタンピボット軸から離れて位置するリンク機構ピボット軸の周りを前記リンク機構が枢動し、
第一端と第二端を有するケーブルを具え、該ケーブルの第一端が前記リンク機構の第二端と連結されており、前記ボタンピボット軸の周りを前記ボタンが枢動することにより、前記リンク機構の第二端が連動し、その結果、前記ケーブルがアンロック方向に移動し、
前記シート組立体又は脚組立体と取外し可能に接続された係止部材を具え、該係止部材が、前記シート組立体又は前記脚組立体と係合するロック位置と、前記シート組立体又は前記脚組立体から脱するアンロック位置との間を移動し、前記アンロック方向へ前記ケーブルが移動することにより、前記係止部材が前記アンロック位置へ移動し、
前記トレイが前記シート組立体に対して水平方向に、又は前記シート組立体が前記脚組立体及び床面に対して全体として垂直方向に調節されることを特徴とする、
子供用椅子。
【請求項２】
前記リンク機構ピボット軸が、前記ボタンピボット軸と平行で、前記リンク機構の第一端と隣合う、請求項１の子供用椅子。
【請求項３】
前記ボタンが、前記ボタンピボット軸と隣合う基端と、該基端から離れて位置する先端とを含み、前記基端において、前記トレイ又はシート組立体と連結されており、前記ボタンの先端が上方向に枢動することにより、前記リンク機構の第二端が前記ボタンの基端に向かって連動する、請求項１の子供用椅子。
【請求項４】
前記ボタンが、前記ボタンピボット軸と隣合う基端と、該基端から離れて位置する先端とを含み、前記リンク機構が、第一位置と第二位置との間を移動し、前記リンク機構が前記第一位置にあるとき、前記係止部材はロック位置にあり、前記リンク機構が前記第二位置にあるとき、前記係止部材はアンロック位置にあり、前記リンク機構が前記第一位置にあるとき、前記リンク機構の第二端が前記リンク機構の第一端よりも前記ボタンの先端に近い、請求項１の子供用椅子。
【請求項５】
前記ボタンが、前記ボタンピボット軸と隣合う基端と、該基端から離れて位置する先端とを含み、前記ボタンがさらに接触面を有し、該接触面が前記ボタンピボット軸よりも下に配設された、請求項１の子供用椅子。
【請求項６】
前記ボタンが、該ボタンと一体化して形成されたマウントを含み、該マウントが、前記リンク機構の第一端と連結された軸を受け入れ、前記リンク機構ピボット軸と同軸である、請求項１の子供用椅子。
【請求項７】
前記トレイが、中空内部を画定するために連結された頂部及び底部を含み、前記リンク機構の第二端が、前記頂部の下面と接触する、請求項１の子供用椅子。
【請求項８】
前記ボタンが、前記トレイに枢動可能に連結されたトレイ調節ボタンを含み、前記シート組立体が、キャリッジ並びに、背もたれ面及び底部面を有し前記キャリッジに連結されたシートを含み、前記係止部材が、ロック位置にあるときに前記キャリッジと係合するトレイ係止部材を含む、請求項１の子供用椅子。
【請求項９】
前記キャリッジが、全体として水平方向に沿って配設された複数のトレイ調節穴を含み、前記トレイ係止部材が、各トレイ調節穴で受け入れられるように構成された、請求項８の子供用椅子。
【請求項１０】
前記シート組立体が、キャリッジ並びに、背もたれ面及び底部面を有し前記キャリッジに連結されたシートを含み、前記ボタンが、キャリッジと枢動可能に連結されたシート高さ調節ボタンを含み、前記係止部材が、ロック位置にあるとき前記脚組立体と係合するシート高さ係止部材を含む、請求項１の子供用椅子。
【請求項１１】
前記脚組立体が、全体として垂直方向に沿って配設された複数のシート高さ調節穴を含み、前記シート高さ係止部材が、各シート高さ調節穴で受け入れられるように構成された、請求項１０の子供用椅子。
【請求項１２】
前記キャリッジが、サポートを含み、該サポートは、その下端において脚組立体と連結されており、前記シート高さ調節ボタンが、前記サポートの外側面にある前記サポートの上端と隣合って配置される、請求項１０の子供用椅子。
【請求項１３】
前記サポートが、上端にアーム・レスト・フランジ及び前記サポートの外側面から外側に向かって延出し前記シート高さ調節ボタンを覆う囲い板を含み、前記トレイが前記キャリッジに連結されているとき、前記トレイの一部が、前記アーム・レスト・フランジと囲い板の間に配設される、請求項１２の子供用椅子。
【請求項１４】
前記リンク機構の第二端が、前記囲い板の下面と接触する、請求項１３の子供用椅子。
【請求項１５】
前記シート組立体が、キャリッジ並びに、背もたれ面及び底部面を有し前記キャリッジに連結されたシートを含み、シート組立体に枢動可能に連結された前記ボタンがトレイ調節ボタン及びシート高さ調節ボタンを含み、前記リンク機構が、前記トレイ調節ボタンと枢動可能に連結された第一リンク機構及び前記シート高さ調節ボタンと枢動可能に連結された第二リンク機構を含み、前記ケーブルが、前記第一リンク機構に連結された第一ケーブル及び前記第二リンク機構に連結された第二ケーブルを含み、前記係止部材が、ロック位置にあるとき前記キャリッジと係合するトレイ係止部材及び、ロック位置にあるとき前記脚組立体と係合するシート高さ係止部材を含む、請求項１の子供用椅子。
【請求項１６】
背もたれ面と底部面を含むシート組立体と、
該シート組立体に連結されたトレイと、
該トレイに枢動可能に連結されたボタンと、
第一端と第二端を有するリンク機構とを具え、該リンク機構の第一端が前記ボタンと枢動可能に連結されており、ボタンピボット軸の周りを前記ボタンが上方向に枢動することにより、リンク機構ピボット軸の周りを前記リンク機構が枢動し、
第一端と第二端を有するケーブルを具え、該ケーブルの第一端が前記リンク機構の第二端と連結されており、前記ボタンピボット軸の周りを前記ボタンが上方向に枢動することにより、前記トレイの前縁に向かって前記リンク機構の第二端が連動し、その結果、前記ケーブルがアンロック方向に移動し、
前記ケーブルの第二端と連結され、前記シート組立体と取外し可能に接続された係止部材とを具え、該係止部材が、前記シート組立体と係合するロック位置と、前記シート組立体と係合しないアンロック位置との間を移動し、前記アンロック位置へ前記ケーブルが移動することにより、前記係止部材が前記アンロック位置へ移動し、
前記トレイが前記シート組立体に対して水平方向に調節されることを特徴とする、
子供用椅子。
【請求項１７】
前記ボタンが、前記ボタンピボット軸と隣合う基端及び該基端から離れて位置する先端を含み、前記リンク機構が、第一位置及び第二位置の間を移動し、前記リンク機構が前記第一位置にあるとき前記係止部材がロック位置にあり、前記リンク機構が前記第二位置にあるとき前記係止部材がアンロック位置にあり、前記リンク機構が前記第一位置にあるとき前記リンク機構の第二端が前記リンク機構の第一端よりも前記ボタンの先端に近い、請求項１６の子供用椅子。
【請求項１８】
背もたれ面と底部面を含むシート組立体と、
前記シート組立体に連結された脚組立体とを具え、該脚組立体が、床面上で前記シート組立体を支持するように構成されており、
前記シート組立体に枢動可能に連結されたシート高さ調節ボタンと、
第一端と第二端を有するリンク機構とを具え、該リンク機構の第一端が前記ボタンと枢動可能に連結されており、ボタンピボット軸の周りを前記ボタンが枢動することにより、リンク機構ピボット軸の周りを前記リンク機構が枢動し、
第一端と第二端を有するケーブルを具え、該ケーブルの第一端が前記リンク機構の第二端と連結されており、前記ボタンピボット軸の周りを前記ボタンが枢動することにより、前記リンク機構の第二端が連動し、その結果、前記ケーブルがアンロック方向に移動し、
前記ケーブルの第二端と連結され、前記脚組立体と取外し可能に接続された係止部材を具え、該係止部材が、前記脚組立体と係合するロック位置と、前記脚組立体と係合しないアンロック位置との間を移動し、前記アンロック位置へ前記ケーブルが移動することにより、前記係止部材が前記アンロック位置へ移動し、
前記シート組立体が前記脚組立体及び床面に対して全体として垂直方向に調節されることを特徴とする、
子供用椅子。
【請求項１９】
前記シート組立体が、キャリッジ並びに、背もたれ面及び底部面を有し前記キャリッジに連結されたシートを含み、前記キャリッジが、サポートを含み、該サポートは、その下端において前記脚組立体と連結されており、前記シート高さ調節ボタンが、前記サポートの外側面にある前記サポートの上端と隣合って配置される、請求項１８の子供用椅子。
【請求項２０】
前記サポートが、上端にアーム・レスト・フランジ及び前記サポートの外側面から外側に向かって延出し前記ボタンを覆う囲い板を含み、前記リンク機構の第二端が、前記囲い板の下面と接触する、請求項１９の子供用椅子。
【発明の詳細な説明】
【背景技術】
【０００１】
乳幼児と子供のための子供用椅子（highchair）は、典型的には、床の上に、支持されたシート、及び、シートに取付けられた子供が食べ物や飲み物を置くことができるトレイを含む。しばしば、トレイは、簡単に掃除できるように、シートから取外せる。更に、トレイは、シートに対して調節可能である。しかしながら、これらのトレイの調節機構は、より直感的かつ使いやすいように改良されうる。また、床に対するシートの高さも、調節可能である。これらのシート高さ調節機構もまた、より直感的かつ使いやすいように改良されうる。
【発明の概要】
【０００２】
前述の欠点のうち少なくとも１つを克服することができる子供用椅子は、シート組立体、シート組立体に連結されたトレイ、シート組立体に連結された脚組立体及び調節機構を具える。シート組立体は、乳幼児又は子供を支えるための、背もたれ面及び底部面を具える。脚組立体は、床面上でシート組立体を支持するように構成されている。調節機構は、シート組立体に対してトレイを、又は、脚組立体に対してシート組立体を調節することができる。
【０００３】
このような調節機構は、ボタン、リンク機構、ケーブル及び係止部材を含んでもよい。ボタンは、トレイ又はシート組立体に枢動可能に連結する。リンク機構は、第一端及び第二端を有し、リンク機構の第一端は、ボタンに枢動可能に連結される。ケーブルもまた、第一端及び第二端を有し、ケーブルの第一端は、リンク機構の第二端に連結される。係止部材は、ケーブルの第二端に連結され、シート組立体又は脚組立体と脱着可能に連結される。係止部材は、係止部材がシート組立体又は脚組立体と係合するロック位置と、係止部材がシート組立体又は脚組立体と係合していないアンロック位置の間で移動可能である。ボタンピボット軸の周りをボタンが枢動することにより、リンク機構ピボット軸の周りをリンク機構が枢動する。ボタンピボット軸の周りをボタンが枢動することはまた、リンク機構の第２端の連動(translational movement)をもたらし、その結果、ケーブルが解除方向へ移動する。解除方向へケーブルが移動することにより、アンロック位置へ係止部材が移動する。
【図面の簡単な説明】
【０００４】
図１は、子供用椅子の正面側斜視図である。
【０００５】
図２は、図１に示される子供用椅子からトレイを取除いた状態の正面側斜視図である。
【０００６】
図３は、図１に示される子供用椅子のトレイの下側から見た斜視図である。
【０００７】
図４は、図２の線４−４に沿った断面図である。
【０００８】
図５は、トレイの内部部品を示すためにトレイの底片が取除かれた状態のトレイの下側の斜視図である。
【０００９】
図６は、トレイの内部部品を示すためにトレイの頂片が取除かれた状態のトレイの上側の斜視図である。
【００１０】
図７は、図１に示される子供用椅子のキャリッジの斜視図である。
【００１１】
図８は、キャリッジの内部部品を示すために左内側キャリッジ部材片及び右外側キャリッジ部材片が取除かれた状態の図７に示されるキャリッジの斜視図である。
【００１２】
図９は、図７の線９−９に沿った断面図である。
【００１３】
図１０は、図１に示される子供用椅子の後部側斜視図である。
【発明の詳細な説明】
【００１４】
図１には、シート組立体１２、このシート組立体１２に連結されたトレイ１４及びシート組立体１２に連結された脚組立体１６を含む子供用椅子１０が示されている。図示されているように、シート組立体１２は、キャリッジ(carriage)１８及びシート２０を含む。子供用椅子１０はまた、以下により詳細に説明される、シート組立体１２に対してトレイ１４を調節するための、又は、脚組立体に対してシート組立体を調節するための、少なくとも１つの調節機構を含む。明細書及び特許請求の範囲を通して、「又は」という用語は、特に異なることが明記されていない限り、包括的な(inclusive)意味に解されるべきである。各調節機構は、シート２０に対してトレイ１４を簡単に調節可能にするために、又は、子供用椅子１０が載っている床面２２に対してシート２０の高さを簡単に調節可能にするために、直感的かつ使いやすいように設計される。
【００１５】
上述した通り、シート組立体１２は、キャリッジ１８及びシート２０を含む。図２を参照して、シート２０は、子供用椅子１０の座っている人の背中を支えるための背もたれ面２８、及び、座っている人のお尻と脚を支えるための底部面３０を含む。クロッチポスト３２もまた、シート２０に設けられている。シート２０は、キャリッジ１８に対して取外し可能である。特に、シート２０は、キャリッジ１８の周りを枢動して、いくつかの異なる傾倒位置になることができる。
【００１６】
図７及び８を参照して、キャリッジ１８は、左キャリッジ・サポート３８及び右キャリッジ・サポート４０を具え、それらは、クロスバー４２によって連結される。「左」及び「右」の用語は、図面における子供用椅子１０の説明の便宜のために使用される。これらの用語は、子供用椅子に座る子供に食事を与えるため、子供用椅子１０に対面する人に対するものである。左キャリッジ・サポート３８は、右キャリッジ・サポート４０に対して鏡のように左右対称である。図７及び８において見えている各サポートは、他方のサポートが同じ構造であるという理解のもとに簡潔に説明される。また、同じ参照番号が、両サポート上にある要素を説明するために用いられる。
【００１７】
各サポート３８及び４０は、内側片４８と連結された外側片４６を具える。図示する実施例では、外側片４６と内側片４８は、プラスチックでできており、内部部品を収容する。各サポート３８及び４０はまた、下端５２及び上端５４を具える。「端」と言う用語は、部品の終端に制限されるものではなく、終端と隣合う部品の領域をも含むと解されるべきである。通路５６は、脚組立体１６（図１）と連結するために各サポートの下端５２の近くに形成される。類似の管状金属製素材で出来ているクロスバー４２と連結される管状金属製素材５８は、各サポート３８及び４０の外側片４６及び内側片４８によって取囲まれる。
【００１８】
各サポート３８及び４０は、上端５４にアーム・レスト・フランジ６０を具える。アーム・レスト・フランジ６０は、外側に向かって延出しており、トレイ１４が取付けられていない場合に（図２参照。）、アーム・レスト・フランジが、ひじ掛けとして機能することができるように、シート２０に対して配設される。囲い板（shroud）６２は、各サポート３８及び４０の上端５４に隣接した外側面６４から外側に向かって延出している。キャリッジ１８はまた、全体として水平方向に沿って設けられた複数のトレイ調節穴６６を具える。トレイ調節穴６６は、アーム・レスト・フランジ６０の直下で、各サポート３８及び４０にある囲い板６２の上に設けられる。
【００１９】
各サポート３８及び４０はまた、複数の凹部７２の中に通じる円弧状ノッチ６８を具える。円弧状ノッチ６８は、クロスバー４２の中心軸に対して同軸上を中心とする半径に沿って形成される。シート２０は、クロスバー４２によって支持され、クロスバーの中心軸の周りを枢動することができる。円弧状ノッチ６８及び凹部７２を用いて、キャリッジ１８に対して異なる傾倒位置に椅子を置くために、既知の調節機構に類似する調節機構が用いられてもよい。
【００２０】
図３及び４を参照して、トレイ１４は、頂片８０及び底片８２を具える。トレイ１４はまた、左及び右下側チャネル８４及び８６をそれぞれ具える。左下側チャネル８４は、キャリッジ１８の左サポート３８の上端５４においてアーム・レスト・フランジ６０を受け入れるように構成され、右下側チャネル８６は、キャリッジ１８の右サポート４０の上端５４のアーム・レスト・フランジ６０を受け入れるように構成される。左下側チャネル８４及び右下側チャネル８６は、トレイ１４の反対側に形成され、実施例に示される通り、底片８２に形成される。トレイ１４はまた、前面開口部９０を画定する下側囲い板８８を具える。下側囲い板８８は、底片８２と一体的に形成される。
【００２１】
トレイ１４はまた、シート組立体１２に対してトレイ１４を調節するためのトレイ調節機構を具える。トレイ１４の頂片８０は、トレイ調節機構の部品を収容することができる中空内部９２を画定する底片８２と連結される。図３乃至６を参照して、トレイ調節機構は、ボタン１００、リンク機構１０２、ケーブル１０４及び係止部材１０６を具える。ボタン１００の上方向に向かう枢動により、リンク機構１０２が連動し、その結果、係止部材１０６が移動し、シート組立体１２に対してトレイ１４の調節が可能となる。
【００２２】
図４を参照して、トレイ調節ボタンとも呼ばれるボタン１００は、トレイ１４に枢動可能に連結される。ボタン１００は、トレイ１４の底片８２の内側表面１１２上に形成されるマウント１１０に連結される。ボタン１００は、ボタンピボット軸１１４の周りを枢動する。ボタン１００は、ボタンピボット軸１１４に隣合う基端１１６と、基端１１６から距離を置いた先端１１８を具える。ボタン１００は、基端１１６でトレイ１４と連結する。ボタン１００はさらに、ボタンピボット軸１１４の周りでボタンを枢動させるために、操作者によって押されるように構成されている接触面１２０を具える。図４から明らかなように、接触面１２０は、ボタンピボット軸１１４の下で、且つ、先端１１８の近くに配設される。また、接触面１２０は、囲い板８８によって略覆われており、接触面１２０へのアクセスは、開口部９０を通してできる。ボタン１００は、さらに、ボタン１００と一体として形成されたリンク機構マウント１２２を具える。リンク機構マウント１２２は、リンク機構１０２とボタン１００が連結する場所を提供する。
【００２３】
リンク機構１０２は、第一端１３０と第二端１３２を具える。リンク機構１０２の第一端１３０は、ボタン１００と枢動可能に連結される。図６においてより明瞭に見られるように、図示された実施例においては、ボタン１００上のリンク機構マウント１２２は、リンク機構１０２の第 一端１３０に連結された回転軸１３６を受け入れる。ボタンピボット軸１１４の周りをボタン１００が枢動することにより、ボタンピボット軸から距離をおいて配置されたリンク機構ピボット軸１３４の周りをリンク機構１０２が枢動する。ボタン１００とリンク機構１０２を連結する回転軸１３６は、リンク機構ピボット軸１３４と同軸である。リンク機構ピボット軸１３４は、ボタンピボット軸１１４と平行であり、リンク機構１０２の第一端１３０と隣合う。ボタンピボット軸１１４の周りをボタンが枢動することにより、ボタンピボット軸１１４を基点とする半径を有する弧の周りを、リンク機構ピボット軸１３４が移動する。
【００２４】
図示されたトレイ１４は、２つのケーブル１０４を具える。各ケーブル１０４は、同様の構造であり、それ故、同じ参照番号がケーブルに使用される。各ケーブル１０４は、第一端１４０及び第二端１４２を具える。ケーブル１０４の第一端１４０は、リンク機構１０２の第二端１３２に連結される。キャリッジ１８の中にあるトレイ調節穴６６に受け入れられるトレイ１４の各下側チャネル８４及び８６の中に係止部材１０６を付勢するバイアス機構１４６を通して、係止部材１０６は、ケーブル１０４の第二端１４２と連結される。これにより、係止部材１０６は、シート組立体１２と取外し可能につながれる。係止部材１０６は、係止部材１０６がシート組立体１２と係合するロック位置と係止部材１０６が、シート組立体１２と係合しないアンロック位置の間を自由に移動できる。ロック位置では、係止部材１０６は、トレイ調節穴６６の１つに嵌合する。アンロック位置では、係止部材１０６は、各トレイ調節穴６６の外に移動する。
【００２５】
図４を参照して、ボタンピボット軸１１４の周りをボタン１００が枢動することにより、リンク機構ピボット軸１３４の周りをリンク機構１０２が枢動する。ボタンピボット軸１１４の周りをボタン１００が枢動することはまた、リンク機構１０２の第二端１３２の連動をもたらし、その結果、アンロック方向１５０にケーブル１０４が移動する。アンロック方向１５０にケーブル１０４が移動することにより、係止部材１０６がシート組立体１２から、より詳しくは、シート組立体１２のキャリッジ１８から脱する位置であるアンロック位置へ係止部材１０６が移動する。ボタン１００の先端１１８が上方向へ枢動することにより、ボタン１００の先端１１８に向かってリンク機構１０２の第二端１３２が連動する。リンク機構１０２は、（図４において実線で示される）第一位置及び（図４において破線で示される）第二位置の間を移動可能である。リンク機構１０２が第一位置にあるときは、係止部材１０６はロック位置にある。リンク機構１０２が、第二位置にあるとき、係止部材１０６は、アンロック位置にある。リンク機構１０２が、第一位置にあるとき、リンク機構１０２の第二端１３２は、リンク機構１０２の第一端１３０と比較してボタン１００の先端１１８に近い。これにより、アンロック方向１５０にケーブル１０４を引き寄せる引っ張り力がケーブル１０４に加わることをもたらす、トレイ１４の前縁１４８に向かうリンク機構１０２の第二端１３２の望ましい動きが可能となる。ボタン１００の先端１１８が上方向に移動すると、リンク機構１０２の第二端１３２が、トレイ１４の頂片８０の下面１５２と接触する。ボタン１００の先端が上方向に移動させられるにつれ、リンク機構１０２の第二端１３２は、頂片８０の下面１５２の上を移動する。
【００２６】
シート組立体１２に対してトレイ１４を調節するため、操作者は、指を囲い板８８とボタン１００の接触面１２０との間の開口部９０に入れる。操作者は、トレイ１４の頂片８０の上面１５４に親指を置くことができる。それから、操作者は、ボタン１００の接触面１２０にある指で上に押す。これにより、ボタン１００が、ボタンピボット軸１１４の周りを回る。ボタン１００がボタンピボット軸１１４の周りを回ると、リンク機構１０２が、リンク機構ピボット軸１３４の周りを枢動し、トレイ１４の頂片８０の下面１５２に沿って移動する。リンク機構１２２の第二端１３２が、アンロック方向１５０にケーブル１０４を引っ張るトレイ１４の前部に向かって略直線方向に移動する。これにより、トレイ係止部材とも呼ばれる係止部材１０６は、キャリッジ１８の中に形成されるトレイ調節穴６６から脱する。トレイ係止部材１０６は、各トレイ調節穴６６に受け入れられるよう構成されるため、トレイ１４は、ボタン１００の上方への移動及びトレイ１４の水平方向への移動により、シート２０とキャリッジ１８に対して水平方向に調節されうる。
【００２７】
図１に戻って参照すると、脚組立体１６は、シート組立体１２と連結され、床面２２より上にシート組立体１２を支持するように構成される。図２を参照して、脚組立体１６は、右脚部材１６２の鏡像である左脚部材１６０を含む。こうして、各脚部材１６０と１６２の見えている部分は、他の脚部材が同じ構造であるという理解のもとに図示される。また、同様の参照番号が、各脚部材に基づいた要素を説明するためにも使われる。各脚部材１６０と１６２は、図示のように、全体として逆U字型に曲がっている管状金属製素材から作られている。
【００２８】
各脚部材は、正面部１６４、後部１６６及び後部１６６に正面部１６４を相互に連結させる中心部１６８を具える。実施例で示されるように、正面部１６４は、全体として前方に傾けられ、後部１６６は、全体として、後方に傾けられる。中心部１６８は、略水平である。左脚部材１６０は、右脚部材１６２から距離ｄを置いて配置される。正面部１６４はまた、略垂直方向に沿って配設された複数のシート高さ調節穴１７２を具える。
【００２９】
左脚部材１６０は、前部クロスバー１７６と２本の後部クロスバー１７８によって右脚部材１６２と連結される。前部クロスバー１７６は、シート高さ調節穴１７２の垂直方向下方に配設され、左脚部材１６０と右脚部材１６２の各正面部１６４を相互連結する。車輪組立体１８０は、子供用椅子１０が、容易に床面２２上を移動できるように各脚部材１６０と１６２の末端に配設される。
【００３０】
キャリッジ１８は、脚組立体１６と連結される。上述したように、キャリッジ１８は、各サポートの下端５２で脚組立体と連結される左サポート３８と右サポート４０を具える。シート高さ調節機構は、床面２２に対してシート２０の高さを調節するためにキャリッジ１８によって担持されている。
【００３１】
図７乃至９を参照して、シート高さ調節機構は、ボタン２００、リンク機構２０２、ケーブル２０４及び係止部材２０６を具える。シート高さ調整ボタンとも呼ばれるボタン２００は、キャリッジ１８の各サポート３８と４０の上端に隣合って配設される。シート高さ調節ボタン２００は、各サポート３８と４０の外側面６４に配設される。囲い板６２は、サポート３８と４０の外側面６４から外側に向かって延び、シート高さ調節ボタン２００を覆う。トレイ１４の一部は、トレイ１４がキャリッジ１８に連結され、アーム・レスト・フランジ６０と囲い板６２の間に配設される。シート高さ調節ボタンを各サポート３８と４０の上端に隣合って配設すれば、操作者は、都合の良い場所にボタンを設けることによって、簡単に床面２２に対してシート高さ２０を調節できる。シート高さ調節ボタン２００は、上述したトレイ調節ボタン１００と似た方法で動作する。
【００３２】
図８を参照して、シート高さ調節ボタン２００は、シート組立体１２に枢動可能に連結される。ボタン２００は（図示の実施例には、２つのシート高さ調節ボタンが配設されている。）、各サポート３８と４０の内部片４８の内側面２１２に形成されたマウント２１０に連結する。図９を参照して、ボタン２００は、ボタンピボット軸２１４の周りを枢動する。ボタン２００は、ボタンピボット軸２１４に隣合った基端２１６と、基端２１６から離れて位置する先端２１８を具える。ボタン２００は、基端２１６でキャリッジ１８の各サポート３８と４０に連結する。ボタン２００は更に接触面２２０を具え、それは、ボタンピボット軸２１４の周りをボタン２００が枢動するために上に向かって力が掛けられるように構成されている。接触面２２０は、ボタンピボット軸２１４より下の先端２１８の近くに配設される。ボタン２００は更に、ボタン２００と一体化して形成されたリンク機構マウント２２２を具える。リンク機構マウント２２２は、ボタン２００とリンク機構２０２を連結するための場所を提供する。
【００３３】
リンク機構２０２は、第一端２３０と第二端２３２を具える。リンク機構２０２の第一端２３０は、ボタン２００と枢動可能に連結される。図８をより詳しく見ると、ボタン２００にあるリンク機構マウント２２２は、リンク機構２０２の第一端２３０と連結された軸２３６を受け入れる。ボタンピボット軸２１４の周りをボタン２００が枢動することにより、ボタンピボット軸２１４から離れて位置するリンク機構ピボット軸２３４の周りをリンク機構２０２が枢動する。ボタン２００とリンク機構２０２を連結する軸２３６は、リンク機構ピボット軸２３４と同軸である。リンク機構ピボット軸２３４は、ボタンピボット軸２１４と平行で、リンク機構２０２の第一端２３０と隣合う。ボタンピボット軸２１４の周りをボタン２００が枢動することにより、ボタンピボット軸２１４を基点とする半径を有する弧の周りをリンク機構ピボット軸２３４が移動する。
【００３４】
キャリッジ１８は、２つのケーブル２０４を具える。一つは左サポート３８の上でボタン２００と連結され、一つはキャリッジ１８の右サポート４０の上でボタン２００と連結される。各ケーブル２０４は、同様の構造であり、それ故、同様の参照番号がケーブに用いられる。各ケーブル２０４は、第一端２４０と第二端２４２を具える。ケーブル２０４の第一端２４０は、リンク機構２０２の第二端２３２と連結される。係止部材２０６は、脚部材１６０と１６２にあるシート高さ調節穴１７２に受け入れられる各サポート３８と４０の通路５６の中に係止部材２０６を付勢するバイアス機構２４６によってケーブル２０４の第二端２４２と連結される。これにより、係止部材２０６は、脚組立体１６と解除可能に連結される。係止部材２０６は、係止部材２０６が脚組立体１６を係合するロック位置と係止部材２０６が脚組立体１６と係合しないアンロック位置の間を移動可能である。ロック位置では、係止部材２０６は、シート高さ調節穴１７２の１つに嵌合する。アンロック位置では、ロック部材２０６は、各シート高さ調節穴１７２の外に移動する。
【００３５】
図９を参照して、ボタンピボット軸２１４の周りをボタン２００が枢動することにより、リンク機構ピボット軸２３４の周りをリンク機構２０２が枢動する。ボタンピボット軸２１４の周りをボタン２００が枢動することはまた、リンク機構２０２の第二端２３２の連動をもたらし、その結果、アンロック方向２５０へのケーブル２０４の移動をもたらす。アンロック方向２５０へケーブル２０４が移動することにより、係止部材２０６が、脚組立体１６、より具体的には脚組立体の各脚部材１６０と１６２から脱する位置であるアンロック位置に向かってロック部材２０６が移動する。ボタン２００の先端２１８が上方へ向かって枢動することにより、ボタン２００の先端２１８に向かうリンク機構２０２の第二端２３２の連動が生じる。（図４の破線で示されるリンク機構１０２に似た）リンク機構２０２は、（図９に示される）第一位置と第二位置の間を移動可能である。リンク機構２０２が、第一位置にある場合、係止部材２０６は、ロック位置にある。リンク機構２０２が、第二位置にある場合、係止部材２０６は、アンロック位置にある。リンク機構２０２が第一位置にあるとき、リンク機構２０２の第二端２３２は、リンク機構２０２の第一端２３０と比較してボタン２００の先端２１８に近い。ボタン２００の先端２１８が上に移動するにつれ、リンク機構２０２の第二端２３２は、囲い板６２の下面２５２と接触する。ボタン２００の先端２１８が上に移動し続けると、リンク機構２０２の第二端２３２は囲い板６２の下面２５２に沿って移動する。
【００３６】
脚組立体１６に対してシート組立体１２を調節するために、操作者は、ボタン２００の接触面２２０を上方向に圧迫する。操作者は、トレイ１４の頂片８０の上面１５４又は、囲い板６２の下面２５４の上に同じ手の親指を置いてもよい。それから操作者は、ボタン２００の接触面２２０の上にある指で上に押す。これにより、ボタン２００は、ボタンピボット軸２１４の周りを回転する。ボタン２００がボタンピボット軸２１４の周りを回転するので、リンク機構２０２は、リンクピボット軸２３４の周りを枢動し、囲い板６２の下面２５２に沿って連動する。リンク機構２２２の第二端２３２は、アンロック方向２５０に向かって、ケーブル２０４を引っ張っている囲い板６２の外側の端に向かって略直線的な方向に移動する。これにより、シート高さ調節部材とも呼ばれる係止部材２０６は、脚組立体１６に形成されるシート高さ調節穴１７２との係合から脱する。トレイ係止部材２０６は、各シート高さ調節穴１７２に受け入れられるように構成されるので、シート組立体１２、より具体的には、シート２０は、ボタン２００の上方向への移動と、それからシート組立体１８の垂直移動により、脚組立体１６及び床面２２に対して全体として垂直方向に調整されうる。図１０で明らかなように、左脚部材１６０と右脚部材１６２の間の距離ｄは、囲い板６２と各脚部材１６０と１６２を受け入れる通路５６の間のキャリッジ１８の左サポート３８の外側面６４と右サポート４０の間の距離よりも大きい。これにより、脚組立体１６の各脚部材１６０と１６２のセントラルセクション１６８と略近い高さまでシート２０を下げることができる。
【００３７】
子供用椅子について詳細に述べてきた。前述の詳細な記述を読み理解すれば、改良及び変更が生じるであろう。しかしながら、本発明は、上述された実施例にのみ限られない。そうではなく、本発明は、添付の請求項及びその均等物によって広く定められる。当然のことながら、種々の上記の記載、他の特徴及び機能、又はそれらの代替及び変化は、他の異なるシステム又はアプリケーションと望ましく組合わされてもよい。更に、現時点では予期せぬ、又は、想定外の種々の代替、変更、変形又は改良が当業者によって後になされるであろうが、それらも、次の請求項に含まれるものと意図されている。
【図１】
0005702510.tif 000002
【図２】
0005702510.tif 000003
【図３】
0005702510.tif 000004
【図４】
0005702510.tif 000005
【図５】
0005702510.tif 000006
【図７】
0005702510.tif 000007
【図８】
0005702510.tif 000008
【図１０】
0005702510.tif 000009
【図６】
0005702510.tif 000010
【図９】
0005702510.tif 000011